(57)【要約】【課題】リム通水路に折り返し部を設ける場合に、リム部の外幅寸法を小型化しつつリム吐水口からの洗浄水吐出量を高めるのに適した構造の水洗大便器を提供する。【解決手段】便鉢部と、便鉢部の上端開口の周縁部を形成するリム部と、リム部の内周壁部に形成される第１リム吐水口３４Ｌと、便鉢部の外周側に形成され、第１リム吐水口３４Ｌに洗浄水を供給するための第１リム通水路３６Ｌと、を備え、第１リム通水路３６Ｌは、便鉢部の周方向の一方側から他方側に折り返すように洗浄水を誘導する折り返し部４２を有し、折り返し部４２に連なる往路部４４の一部分と復路部４６の一部分とが上下に並んで配置される。【選択図】図６
2017061819.tif 000002
【特許請求の範囲】
【請求項１】
便鉢部と、
前記便鉢部の上端開口の周縁部を形成するリム部と、
前記リム部の内周壁部に形成される第１リム吐水口と、
前記便鉢部の外周側に形成され、前記第１リム吐水口に洗浄水を供給するための第１リム通水路と、を備え、
前記第１リム通水路は、前記便鉢部の周方向の一方側から他方側に折り返すように洗浄水を誘導する折り返し部を有し、前記折り返し部に連なる往路部の一部分と復路部の一部分とが上下に並んで配置されることを特徴とする水洗大便器。
【請求項２】
前記復路部は、前記往路部の一部分に対して上側に配置されることを特徴とする請求項１に記載の水洗大便器。
【請求項３】
前記往路部の一部分内の水を排出するための水抜き通路を備えることを特徴とする請求項２に記載の水洗大便器。
【請求項４】
前記第１リム通水路は、平面視において、前記上端開口に対して左右方向の一方側を通るように配置されることを特徴とする請求項１から３のいずれかに記載の水洗大便器。
【請求項５】
前記リム部の内周壁部に形成される第２リム吐水口を備え、
前記第２リム吐水口は、前記第１リム吐水口と同じ高さ位置に配置されることを特徴とする請求項１から４のいずれかに記載の水洗大便器。
【発明の詳細な説明】
【技術分野】
【０００１】
本発明は、水洗大便器に関する。
【背景技術】
【０００２】
水洗大便器は、通常、便鉢部と、便鉢部の上端開口の周縁部を形成するリム部と、リム部の内周壁部に形成されるリム吐水口と、便鉢部の外周側に形成され、リム吐水口に洗浄水を供給するためのリム通水路とを備える。
【０００３】
この種の水洗大便器として、特許文献１には、便鉢部の周方向の一方側から他方側に折り返すように洗浄水を誘導する折り返し部をリム通水路に設けたものが提案されている。この水洗大便器では、汚物が飛び散りやすい箇所に洗浄水を吐き出すことで、洗浄水の水勢を強める必要がなくなり、便鉢部外への水跳ねを防止できるとされている。
【先行技術文献】
【特許文献】
【０００４】
【特許文献１】特開２０１１−２０８３６２号公報
【発明の概要】
【発明が解決しようとする課題】
【０００５】
ところで、特許文献１の水洗大便器では、リム通水路の折り返し部に対して上流側及び下流側の両部分がリム部内で左右に並べて配置されている。本発明者が検討したところ、リム部の外幅寸法を小型化しつつリム吐水口からの洗浄水吐出量を高める観点からは、従来の構造は改善の余地があるという知見を得た。
【０００６】
本発明は、このような課題に鑑みてなされ、その目的は、リム通水路に折り返し部を設ける場合に、リム部の外幅寸法を小型化しつつリム吐水口からの洗浄水吐出量を高めるのに適した構造の水洗大便器を提供することにある。
【課題を解決するための手段】
【０００７】
上記課題を解決するための本発明のある態様は水洗大便器である。
水洗大便器は、便鉢部と、前記便鉢部の上端開口の周縁部を形成するリム部と、前記リム部の内周壁部に形成される第１リム吐水口と、前記便鉢部の外周側に形成され、前記第１リム吐水口に洗浄水を供給するための第１リム通水路と、を備え、前記第１リム通水路は、前記便鉢部の周方向の一方側から他方側に折り返すように洗浄水を誘導する折り返し部を有し、前記折り返し部に連なる往路部の一部分と復路部の一部分とが上下に並んで配置される。
【０００８】
リム部の外幅寸法を小型化しつつ、第１リム吐水口からの洗浄水吐出量を高めるのに適した構造とするためには、往路部と復路部が並ぶ箇所での水路断面積を上下に大きくすることになる。本態様によれば、往路部と復路部が左右に並んで配置される場合と比べて、往路部と復路部を隔てる隔壁部の寸法の増大を抑えつつ、往路部と復路部が並ぶ箇所での水路断面積を上下に効果的に大きくすることができる。よって、リム部の外幅寸法を小型化しつつも、第１リム吐水口からの洗浄水吐出量を高めるのに適した構造を提供できる。
【発明の効果】
【０００９】
本発明によれば、第１リム通水路に折り返し部を設ける場合に、リム部の外幅寸法を小型化しつつ、第１リム吐水口からの洗浄水吐出量を高めるのに適した構造を提供できる。
【図面の簡単な説明】
【００１０】
【図１】第１実施形態に係る水洗大便器の平面図である。
【図２】図１のＡ−Ａ線断面図である。
【図３】図２のＢ−Ｂ線断面図である。
【図４】図３のＣ−Ｃ線断面図である。
【図５】第１実施形態に係る左リム通水路を拡大して示す断面図である。
【図６】図５のＤ−Ｄ線に沿って切断した断面を平面に展開した模式図である。
【図７】参考例に係る水洗大便器を図４と同じ視点から見た断面図である。
【図８】第２実施形態に係る水洗大便器を示す側面断面図である。
【図９】第２実施形態に係る水洗大便器を図６と同様の視点から見た模式図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略する。
【００１２】
図１は本実施形態に係る水洗大便器１０の平面図であり、図２は図１のＡ−Ａ線断面図である。
水洗大便器１０は、陶器を素材とする便器本体１２を備える。便器本体１２は、トイレ室の床面１００上に設置される床置き式便器である。
【００１３】
便器本体１２は、図２に示すように、便鉢部１４と、便鉢部１４の底部に接続される排水通路部１６と、を備える。排水通路部１６は、便鉢部１４内から下水側水路（不図示）に排出される汚物の通り道となる。排水通路部１６は、通水方向の空気の流れを遮断するための封水１８が溜められるトラップ部２０を備える。トラップ部２０の下流端部には床面１００から引き出される接続管（不図示）が接続され、トラップ部２０は接続管を介して下水側水路に接続される。
【００１４】
図３は図２のＢ−Ｂ線断面図である。
便鉢部１４は、図２、図３に示すように、汚物を受けるための鉢状の受け面部２２と、受け面部２２の下縁部から下方に窪むとともに便鉢部１４の底部に形成される凹部２４と、を備える。受け面部２２は、平面視にて左右寸法より前後寸法が大きくなるような楕円状に形成される。凹部２４の底面部には排水通路部１６の入口１６ａが開口する。
【００１５】
図４は図３のＣ−Ｃ線断面図である。
便器本体１２は、図１、図２、図４に示すように、便鉢部１４の上端開口１４ａの周縁部を形成するリム部２６を備える。リム部２６は、便鉢部１４の内周壁部の上端部を形成するとともに受け面部２２の上縁部に接続される内周壁部２８と、上端開口１４ａから水洗大便器１０の左右両側及び前後両側に延びる上壁部３０とを備える。また、リム部２６は、上壁部３０の左右両側及び前側の外周端部から下側に延びるとともに便器本体１２の外周面の上端部を形成する外周壁部３２とを備える。
【００１６】
図３に戻り、便器本体１２は、リム部２６の内周壁部２８に形成される二つのリム吐水口３４Ｌ、３４Ｒと、二つのリム吐水口３４Ｌ、３４Ｒに洗浄水を供給するためのリム通水路３６Ｌ、３６Ｒとを備える。また、便器本体１２は、さらに、二つのリム通水路３６Ｌ、３６Ｒのそれぞれに洗浄水を供給するための共通通水路３８と、リム部２６の内周壁部２８の内周側に形成される二つのリム導水路４０Ａ、４０Ｂとを備える。水洗大便器１０はリム通水路３６Ｌに主な特徴の一つがあるが、先にリム通水路３６Ｌを含めた周辺構造の概要から説明する。
【００１７】
二つのリム吐水口３４Ｌ、３４Ｒには、水洗大便器１０の左側に配置される左リム吐水口３４Ｌ（第１リム吐水口）と、水洗大便器１０の右側に配置される右リム吐水口３４Ｒ（第２リム吐水口）とが含まれる。各リム吐水口３４Ｌからは、リム部２６の内周壁部２８の内周面に沿って、便鉢部１４の周方向の一方側（図３中の反時計回り方向。以下、単に反時計回り方向という）に洗浄水が吐き出される。
【００１８】
右リム吐水口３４Ｒは左リム吐水口３４Ｌと同じ高さ位置に配置される。ここでの「高さ位置」とは床面を基準とした鉛直方向における位置をいう。本実施形態では左リム吐水口３４Ｌの全部と右リム吐水口３４Ｒの全部とが同じ高さ位置に配置されるが、各リム吐水口３４Ｌ、３４Ｒの一部が同じ高さ位置に配置されていればよい。また、各リム吐水口３４Ｌ、３４Ｒは、平面視において、便鉢部１４の上端開口１４ａの中心Ｃｐ（図１も参照）周りに１８０°と同等の角度をずらした位置に配置される。ここでの「同等」とは比較対象となる両者が同一の場合とほぼ同一の場合とが含まれる。
【００１９】
二つのリム通水路３６Ｌ、３６Ｒには、左リム吐水口３４Ｌに洗浄水を供給するための左リム通水路３６Ｌ（第１リム通水路）と、右リム吐水口３４Ｒに洗浄水を供給するための右リム通水路３６Ｒ（第２リム通水路）とが含まれる。各リム通水路３６Ｌ、３６Ｒは、便鉢部１４の外周側に形成される。詳しくは、便鉢部１４の内周面を形成する壁部の外周側に形成される。ここでの「便鉢部１４の内周面を形成する壁部」とは、便鉢部１４の受け面部２２とリム部２６の内周壁部２８とが含まれる。
【００２０】
左リム通水路３６Ｌは、便鉢部１４の左右両部分１４Ｌ、１４Ｒのうち、左部分１４Ｌの内周壁部の外周側かつ左側に形成される。また、左リム通水路３６Ｌは、便鉢部１４に対して前側において、水洗大便器１０の左右中心線ＣＬを通らないように配置される。右リム通水路３６Ｒは、便鉢部１４の左右両部分１４Ｌ、１４Ｒのうち、右部分１４Ｒの内周壁部の外周側かつ右側に形成される。ここでの便鉢部１４の左部分１４Ｌとは、水洗大便器１０の左右中心線ＣＬに対して左右一方側となる左側に配置される部分をいう。また、便鉢部１４の右部分１４Ｒとは、水洗大便器１０の左右中心線ＣＬに対して右側に配置される部分をいう。左右中心線ＣＬとは、水洗大便器１０の外面部分の最大となる左右寸法Ｌｘ（図１参照）を二等分し、前後方向に沿って延びる直線をいう。
【００２１】
各リム通水路３６Ｌ、３６Ｒは共通通水路３８の下流端部から左右に分岐して形成される。各リム通水路３６Ｌ、３６Ｒの分岐位置３６ａはリム部２６の内周壁部２８の後方に配置される。共通通水路３８には、図示しない洗浄水供給装置から洗浄水が供給され、各リム通水路３６Ｌ、３６Ｒ内には共通通水路３８を通して方向Ｐａに洗浄水が導水される（図２も参照）。洗浄水供給装置は、たとえば、タンク、ポンプ及び送水管の組み合わせにより構成される。
【００２２】
右リム通水路３６Ｒは、上流端部となる分岐位置３６ａから反時計回り方向に延びるように形成され、その延び方向の末端位置となる下流端部には右リム吐水口３４Ｒが形成される。左リム通水路３６Ｌの詳細は後述する。
【００２３】
二つのリム導水路４０Ａ、４０Ｂには、左リム吐水口３４Ｌから反時計回り方向に延びるように形成される第１リム導水路４０Ａと、右リム吐水口３４Ｒから反時計回り方向に延びるように形成される第２リム導水路４０Ｂとが含まれる。各リム導水路４０Ａ、４０Ｂは、各リム吐水口３４Ｌ、３４Ｒから吐き出される洗浄水を旋回させるように導くことにより、リム導水路４０Ａ、４０Ｂの始端位置から終端位置まで洗浄水を届かせるためのものである。
【００２４】
第２リム導水路４０Ｂは、図４に示すように、受け面部２２の上縁部から便鉢部１４の外側に向かって延びる棚部４０ａと、棚部４０ａに対して上側に配置されるオーバーハング部４０ｂとを備える。棚部４０ａは、受け面部２２の上端縁に連なる上面部分の勾配が、受け面部２２の内面部分の勾配より緩やかになるように形成される。オーバーハング部４０ｂは、棚部４０ａの上面部分と上下に対向する下面部分が、便鉢部１４の径方向内側に向かって延びるように形成される。第１リム導水路４０Ａは図示しないが同様である。
【００２５】
図３に戻る。各リム吐水口３４Ｌ、３４Ｒから吐き出される洗浄水は、リム導水路４０Ａ、４０Ｂを経由することによって、便鉢部１４内を旋回する旋回流を形成する。この旋回流は、便鉢部１４の内面、特に、リム部２６の内周壁部２８の内周面や受け面部２２の内面を洗浄するための水流となる。
【００２６】
左リム通水路３６Ｌの説明に移る。図５は左リム通水路３６Ｌを拡大して示す断面図であり、図６は図５のＤ−Ｄ線に沿って切断した断面を平面に展開した模式図である。図６では左リム通水路３６内での洗浄水の流れ方向を矢印Ｐｂで示す（図２も同様）。
【００２７】
左リム通水路３６Ｌは、図５に示すように、便鉢部１４の左部分１４Ｌの外周側において、上流端部となる分岐位置３６ａから便鉢部１４の周方向の他方側（図５中の時計回り方向。以下、単に時計回り方向という）にかけての一部の範囲Ｓａに配置される。この範囲Ｓａは便鉢部１４の上端開口１４ａの中心Ｃｐ（図１も参照）を通る鉛直軸周りでの範囲をいう。左リム通水路３６Ｌは、全体として、便鉢部１４の外周側かつ左側において、水洗大便器１０の後方側から前方側に向かって時計回り方向に延びる形状となる。
【００２８】
左リム通水路３６Ｌは、図５、図６に示すように、時計回り方向（図６の左方向）から反時計回り方向（図６の右方向）に折り返すように洗浄水を誘導する折り返し部４２と、折り返し部４２の上流側に連なる往路部４４と、折り返し部４２の下流側に連なる復路部４６とを備える。
【００２９】
往路部４４は、上流端部となる各リム通水路３６Ｌ、３６Ｒの分岐位置３６ａから時計回り方向に延びるように形成される。往路部４４は、上流側に設けられる上流部分４４ａと、下流側に設けられる下流部分４４ｂと、上流部分４４ａと下流部分４４ｂを接続する中間部分４４ｃとを有する。
【００３０】
上流部分４４ａは復路部４６に対して反時計回り方向（図６の右方向）に離れた位置に配置される。下流部４４ｂは復路部４６に対して下側に配置される。上流部分４４ａの下面は下流部分４４ｂの下面や上面に対して高位置に配置される。上流部分４４ａは下流部分４４ｂに対して高位置に配置されることになる。上流部分４４ａや下流部分４４ｂの下面は水平面に対して平行となるように形成される。ここでの「平行となるように」とは比較対象となる両者が完全に平行な場合と、ほぼ平行な場合とが含まれる。
【００３１】
中間部分４４ｃの下面は上流部分４４ａの下面と下流部分４４ｂの下面を滑らかに繋ぐように水平面に対して傾斜して形成される。上流部分４４ａを流れる洗浄水は中間部分４４ｃを経由するときに下方側に誘導されてから下流部分４４ｂを流れる。このように、中間部分４４ｃは上流部分４４ａから下流部分４４ｂに洗浄水を誘導する機能をもつ。
【００３２】
折り返し部４２は往路部４４の下流端部と復路部４６の上流端部を接続する。折り返し部４２は、折り返し部４２における上流側部分４２ａに対して、折り返し部４２における下流側部分４２ｂが上下一方側（上側）に位置する形状をもつ。
【００３３】
復路部４６は往路部４４の下流部分４４ｂの一部分に対して上側に配置される。往路部４４の下流部分４４ｂの一部分と復路部４６は上下に並んで配置されることになる。往路部４４の下流部分４４ｂの一部分と復路部４６は上下に重なるように配置されるともいえる。
【００３４】
復路部４６は上流端部となる折り返し部４２との接続位置から反時計回り方向に延びるように形成され、その復路部４６の延び方向の末端位置となる下流端部には左リム吐水口３４Ｌが連なるように設けられる。なお、左リム吐水口３４Ｌに連なる第１リム導水路４０Ａの一部も往路部４４の下流部分４４ｂの一部分と上下に並んで配置される。
【００３５】
前述の図４は図６のＥ−Ｅ線断面図でもある。
リム部２６の内側には、図４〜図６に示すように、前述の左リム通水路３６Ｌの配置される範囲Ｓａにおいて、便鉢部１４の周方向に沿って延びる空洞部４８が形成される。空洞部４８内には、往路部４４の下流部分４４ｂが配置される範囲Ｓｂにおいて、空洞部４８の内部空間４８ａを上下に区画する隔壁部５４が配置される。隔壁部５４は便鉢部１４の周方向に沿って延びるように形成される。左リム通水路３６Ｌの折り返し部４２、往路部４４及び復路部４６は、空洞部４８の内部空間４８ａ内に隔壁部５４が配置されることにより形成される。往路部４４の下流部分４４ｂの一部と復路部４６は、空洞部４８の内部空間４８ａを隔壁部５４により上下に区画することで形成されることになる。
【００３６】
図６に示すように、共通通水路３８から左リム通水路３６Ｌ内に洗浄水が導入されると、往路部４４内では時計回り方向（図６中左方向）に向かって洗浄水が流れる。往路部４４内から折り返し部４２内に洗浄水が導入されると、折り返し部４２では流れ方向を時計回り方向から反時計回り方向（図６中右方向）に折り返すように洗浄水が流れる。折り返し部４２内から復路部４６内に洗浄水が導入されると、復路部４６内では反時計回り方向に向かって洗浄水が流れ、左リム吐水口３４Ｌからは水洗大便器１０の後方側、かつ、反時計回り方向に洗浄水が吐き出される。
【００３７】
以上の水洗大便器１０の作用効果を説明する。図７は参考例に係る水洗大便器を図４と同じ視点から見た断面図である。
図７では、往路部４４の一部分と復路部４６とが左右に並んでおり、リム部２６の空洞部４８の内部空間４８ａが隔壁部５４により左右に区画される。図４、図７の何れの例も、リム部２６の外幅寸法Ｌａ、空洞部４８の断面形状が同じである。
【００３８】
左リム吐水口３４Ｌからの洗浄水吐出量は、左リム通水路３６Ｌの上流端部から左リム吐水口３４Ｌにかけての通水経路で最も水路断面積が小さい部位での水路断面積に比例した大きさとなる。ここで、往路部４４と復路部４６が並ぶ箇所は、左リム通水路３６Ｌの通水経路上で最も水路断面積が小さくなり易い。よって、左リム吐水口３４Ｌからの洗浄水吐出量を高めるのに適した構造とするためには、この往路部４４と復路部４６が並ぶ箇所での水路断面積を大きくできるとよい。この条件を満たしつつ、リム部２６の外幅寸法Ｌａを小型化するうえでは、往路部４４と復路部４６が並ぶ箇所での水路断面積を上下に大きくすることになる。
【００３９】
ここで、図７に示すように、往路部４４と復路部４６が左右に並んで配置される場合、往路部４４と復路部４６が並ぶ箇所での水路断面積が上下に大きくなるほど、往路部４４と復路部４６を隔てる隔壁部５４の寸法（詳しくは上下寸法）も大きくなる。これに対して、図４に示すように、往路部４４と復路部４６が上下に並んで配置される場合、往路部４４と復路部４６が並ぶ箇所での水路断面積が上下に大きくなっても、往路部４４と復路部４６を隔てる隔壁部５４の寸法が大きくならない。従って、往路部４４と復路部４６が上下に並んで配置される場合、往路部４４と復路部４６が左右に並んで配置される場合と比べて、隔壁部５４の寸法の増大を抑えつつ、往路部４４と復路部４６が並ぶ箇所での水路断面積を上下に効果的に大きくすることができる。よって、リム部２６の外幅寸法Ｌａを小型化しつつも、左リム吐水口３４Ｌからの洗浄水吐出量を高めるのに適した構造を提供できるようになる。
【００４０】
また、図４の例では、図７の例よりも、隔壁部５４の幅寸法Ｌｂが短いため、往路部４４の下流部分４４ｂ内を通る洗浄水や、復路部４６内を通る洗浄水との接触面積も小さくなる。この洗浄水と隔壁部５４の接触面積が小さくなると、その分、洗浄水から隔壁部５４に付与される水圧も小さくなる。この結果、強度確保のために要する隔壁部５４の厚さ寸法Ｌｃを小さくでき、その分、往路部４４の下流部分４４ｂや復路部４６の内部空間を大型化することで、左リム吐水口３４Ｌからの洗浄水吐出量を高めるのに適した構造にできる。
【００４１】
また、復路部４６は往路部４４の一部分となる下流部分４４ｂの一部分に対して上側に配置されるため、往路部４４の下流部分４４ｂの一部分に対して下側に配置されるよりも、便鉢部１４の上端開口１４ａから左リム吐水口３４Ｌまでの上下寸法Ｌｄ（図２、図４、図６参照）を小さくできる。この上下寸法Ｌｄはオーバーハング部４０ｂの上下寸法でもある。もともと、リム部２６の内周面のうち、便鉢部１４の上端開口１４ａとリム吐水口３４Ｌ、３４Ｒとの間の領域は洗浄水を届かせ難いため、洗い残しが生じ易い。このため、仮に、復路部４６が往路部４４に対して下側に配置される場合、この領域の上下寸法Ｌｄが大きくなり、いわゆるボックスリムと同様、洗い残しが生じ易い範囲が広くなってしまう。この点、本実施形態によれば、この領域の上下寸法Ｌｄを小さくできるため、洗い残しが生じ易い範囲を小さくでき、便鉢部１４内を清潔に保ち易くなる。
【００４２】
なお、図３に示すように、左リム吐水口３４Ｌは、水洗大便器１０の後方側に洗浄水を吐き出し、かつ、左リム吐水口３４Ｌに洗浄水を供給する左リム通水路３６Ｌは、便鉢部１４に対して前側において水洗大便器１０の左右中心線ＣＬを通らないように配置される。よって、同方向に洗浄水を吐き出すうえで、便鉢部１４に対して前側において左右中心線ＣＬを通るような左リム通水路３６Ｌのレイアウトにするよりも、左リム通水路３６Ｌ内での洗浄水の通水経路の距離を抑えられる。このため、左リム吐水口３４Ｌから水勢の強い洗浄水を吐き出し易くなり、良好な便鉢洗浄能力を得られ易くなる利点もある。
【００４３】
また、以上の左リム通水路３６Ｌを有する便器本体１２は鋳込み成形により得られる。詳しくは、便器本体１２は、図４〜図６に示すように、前述の隔壁部５４と、便器本体１２の上面部を含む上面側部分５６と、上面側部分５６より下側にある便鉢側部分５８とにより構成される。上面側部分５６と便鉢側部分５８の境界位置は空洞部４８を上下に分割する位置に設定される。各部分５４、５６、５８は鋳込み成形により別々に成形され、これらを接着等により接合することで便器本体１２が構成される。
【００４４】
また、左リム通水路３６Ｌは、図１に示すように、平面視において、便鉢部１４の上端開口１４ａに対して左側（左右方向の一方側）でリム部２６内を通るように配置される。また、左リム通水路３６Ｌは、平面視において、リム部２６の左側の外面部分から上端開口１４ａまでのリム部２６の左右寸法が、水洗大便器１０の左右寸法Ｌｘの１／４以下となる箇所でリム部２６内を通るように配置される。本実施形態では一点鎖線Ｌｅが横断する箇所から前側（図中上側）がリム部２６の左右寸法が１／４以下となる箇所になる。さらに、本実施形態に係る左リム通水路３６Ｌは、平面視において、リム部２６の左側の外面部分から上端開口１４ａまでのリム部２６の左右寸法が、水洗大便器１０の左右寸法Ｌｘの１／６となる箇所でリム部２６内を通るように配置される。本実施形態では一点鎖線Ｌｆが横断する箇所から前側（図中上側）がリム部２６の左右寸法が１／６以下となる箇所になる。
【００４５】
［第２の実施の形態］
図８は第２実施形態に係る水洗大便器１０を示す側面断面図であり、図９は第２実施形態に係る水洗大便器１０を図６と同様の視点から見た模式図である。
便器本体１２は、左リム通水路３６Ｌ内の水を排出するための水抜き通路６０を備える。図６、図９では水抜き通路６０内での水の流れ方向を矢印Ｐｃで示す。
【００４６】
水抜き通路６０は左リム通水路３６Ｌとトラップ部２０の内部空間とを連通する。水抜き通路６０は、左リム通水路３６Ｌ内から水抜き通路６０内に水を導入するための水導入口６０ａと、水抜き通路６０内からトラップ部２０内に水を排出するための排水口６０ｂとを有する。水導入口６０ａは、左リム通水路３６Ｌの下流部分４４ｂの下面に開口する。左リム通水路３６Ｌの上面は、左リム通水路３６Ｌの上流端部から左リム吐水口３４Ｌにかけての範囲Ｓａ（図５参照）において、水導入口６０ａに対して上側に位置するように形成される。
【００４７】
これにより、洗浄水供給装置から洗浄水を供給し終えた後、左リム通水路３６Ｌの下流部分４４ｂを含む前述の範囲Ｓａ内の水が、水抜き通路６０を通してトラップ部２０内に排出される。これにより、非洗浄時において、左リム通水路３６Ｌの上流端部から左リム吐水口３４Ｌまでの範囲に気体が流通可能な空間が形成される。ここでの非洗浄時とは、洗浄水供給装置から便鉢部１４内に洗浄水を供給することにより洗浄を開始する前の待機状態にあるときをいう。
【００４８】
以上の構成により、洗浄水供給装置から洗浄水を供給し終えた後、左リム通水路３６Ｌの上流端部から左リム吐水口３４Ｌにかけての範囲での途中部分が残留水により完全に水没した状態になるのを防止できる。このため、寒冷地等で水洗大便器１０を用いる場合に、左リム通水路３６Ｌ内の残留水が凍結することで、左リム通水路３６Ｌを通して左リム吐水口３４Ｌまで洗浄水を供給不能となる事態を防止でき、凍結対策を図ることができる。
【００４９】
また、この他にも、洗浄水供給装置から洗浄水を供給し終えた後、各リム通水路３６Ｌ、３６Ｒ内の残留水を便鉢部１４内を通さず水抜き通路６０を通して排水通路部１６に排出できる。よって、各リム通水路３６Ｌ、３６Ｒ内の残留水が、すじ状の水（以下、すじ状水という）となって長期間に亘って各リム吐水口３４Ｌ、３４Ｒから流れ落ちるのを防止でき、すじ状水による見栄えの低下を防止できる。
【００５０】
なお、左リム通水路３６Ｌの復路部４６が往路部４４の下流部分４４ｂに対して上側に配置されるレイアウトの場合、往路部４４の下流部分４４ｂ内の水を左リム吐水口３４Ｌから排出できない。このようなレイアウトの場合でも、往路部４４の下流部分４４ｂ内を含む範囲で水を排出することで、凍結対策を図れる点で大きな利点がある。
【００５１】
また、図９の例では、左リム通水路３６Ｌ内の水を排出するための水抜き通路６０が各リム通水路３６Ｌ、３６Ｒとは別に形成される例を説明した。この他にも、水抜き通路６０は右リム通水路３６Ｒにより構成されてもよい。左リム通水路３６Ｌの往路部４４及び右リム通水路３６Ｒの上面は、左リム通水路３６Ｌの往路部４４及び右リム通水路３６Ｒの下面に対して上側に位置するように形成される。これにより、非洗浄時において、左リム通水路３６Ｌの往路部４４の下流部分４４ｂを含む範囲内の洗浄水は右リム通水路３６Ｒを通して右リム吐水口３４Ｒから排出される。この結果、左リム通水路３６Ｌの上流端部から左リム吐水口３４Ｌまでの範囲に気体が流通可能な空間が形成される。
【００５２】
このとき、左リム通水路３６Ｌの往路部４４の中間部分４４ｂ（図６参照）に傾斜を設けず、往路部４４の上流部分４４ａと下流部分４４ｂとの下面が段差なく連なるように形成してもよい。また、このとき、右リム吐水口３４Ｒは、左リム吐水口３４Ｌより下方の高さ位置に配置されてもよい。これは、右リム吐水口３４Ｒが、左リム通水路３６Ｌの往路部４４の下流部分４４ｂと同じ高さ位置に配置されることを意味する。
【００５３】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５４】
水洗大便器１０は、洗い落し式、サイホン式等の洗浄方式により便鉢部１４内を洗浄してもよい。水洗大便器１０は、水道直圧式、重力を用いた重力給水式等の給水方式が用いられてもよい。便器本体１２は床置き式便器を例に説明したが、トイレ室の側壁面に掛けた状体で取り付けられる壁掛け型便器でもよい。また、便器本体１２は陶器の他に樹脂等を素材としてもよい。
【００５５】
水洗大便器１０は、図３の例のように、左右のリム通水路３６Ｌ、３６Ｒを備えていてもよいし、一つのリム通水路のみを備えていてもよい。また、一つのリム通水路につき一つのリム吐水口が形成される例を説明したが、一つのリム通水路につき二つ以上のリム吐水口が形成されてもよい。また、リム吐水口３４Ｌ、３４Ｒはリム部２６の内周面に沿って周方向の一方側に向けて洗浄水を吐き出す例を説明した。リム吐水口３４Ｌ、３４Ｒは、便鉢部１４内に洗浄水を吐き出せればよく、この他にも下向きに洗浄水を吐き出してもよい。
【００５６】
左リム通水路３６Ｌは往路部４４の下流部分４４ｂの一部分に対して上側に復路部４６が配置される例を説明したが、往路部４４の一部分に対して下側に復路部４６が配置されてもよい。また、左リム通水路３６Ｌは、往路部４４の一部分に対して復路部４６の全体が上下に並んで配置される例を説明したが、少なくとも復路部４６の一部分が上下に並んで配置されていればよい。
【００５７】
往路部４４の中間部分４４ｃは下面のみが上流部分４４ａの下面と下流部分４４ｂの下面を滑らかに繋ぐように水平面に対して傾斜して形成される例を説明した。この他にも、中間部分４４ｃの上面も上流部分４４ａの上面と下流部分４４ｂの上面とを滑らかに繋ぐように水平面に対して傾斜して形成されてもよい。
【００５８】
水抜き通路６０の排水口６０ｂは、便器洗浄時において、便鉢部１４の凹部２４や排水通路部１６内の封水１８に洗浄水を吐き出すことにより、汚物の排出を促進するための水流を形成するジェット吐出口として用いられてもよい。この場合、たとえば、排水口６０ｂは、排水通路部１６の下流側に向けて洗浄水を吐き出し可能な位置に形成される。
【００５９】
以上の実施形態、変形例により具体化される発明を一般化すると、以下の技術的思想が導かれる。
【００６０】
前述の課題を解決するための手段に記載の態様の水洗大便器は、前記復路部は、前記往路部の一部分に対して上側に配置されてもよい。
この態様によれば、往路部の一部分に対して下側に復路部が配置されるよりも、リム部の内周面のうち、便鉢部の上端開口からリム吐水口までの領域の上下寸法を小さくできる。よって、洗い残しが生じ易い範囲を小さくでき、便鉢部内を清潔に保ち易くなる。
【００６１】
前述の態様の水洗大便器は、前記往路部の一部分内の水を排出するための水抜き通路を備えてよい。
この態様によれば、復路部に対して下側に配置される往路部の一部分が残留水により完全に水没した状態になるのを防止できる。よって、寒冷地等で水洗大便器を用いる場合に、リム通水路内の残留水が凍結することで、リム通水路を通してリム吐水口まで洗浄水を供給不能となる事態を防止でき、凍結対策を図ることができる。
【００６２】
前述の態様の水洗大便器は、前記第１リム通水路は、平面視において、前記上端開口に対して左右方向の一方側を通るように配置されてもよい。
【００６３】
前述の態様の水洗大便器は、前記リム部の内周壁部に形成される第２リム吐水口を備え、前記第２リム吐水口は、前記第１リム吐水口と同じ高さ位置、又は、前記第１リム吐水口より下方の高さ位置に配置されてもよい。
【符号の説明】
【００６４】
１０…水洗大便器、１４…便鉢部、１４ａ…上端開口、２６…リム部、２８…内周壁部、３４Ｌ…左リム吐水口（第１リム吐水口）、３６Ｌ…左リム通水路（第１リム通水路）、４２…折り返し部、４４…往路部、４６…復路部、５２…周壁部、６０…水抜き通路。
【図１】
2017061819.tif 000003
【図２】
2017061819.tif 000004
【図３】
2017061819.tif 000005
【図４】
2017061819.tif 000006
【図５】
2017061819.tif 000007
【図６】
2017061819.tif 000008
【図７】
2017061819.tif 000009
【図８】
2017061819.tif 000010
【図９】
2017061819.tif 000011